(57)【要約】  複数の拡張ユニットに対応する制御端子をもつ主基板を備えた本体部を有する空気調和機の室内機。主基板は、制御端子と同一規格の接続端子である少なくとも１つの拡張端子をもつ拡張基板に接続されると共に、拡張基板を介して少なくとも１台の拡張ユニットに接続される。
2019163104.tif 000002
【特許請求の範囲】
【請求項１】
複数の拡張ユニットに対応する制御端子をもつ主基板を備えた本体部を有し、
前記主基板は、
前記制御端子と同一規格の接続端子である少なくとも１つの拡張端子をもつ拡張基板に接続されると共に、前記拡張基板を介して少なくとも１台の前記拡張ユニットに接続される、
空気調和機の室内機。
【請求項２】
前記主基板は、
前記拡張基板が１台の前記拡張ユニットに設けられている場合、
前記拡張基板から延びる配線が前記制御端子に接続されると共に、前記拡張基板を有しない前記拡張ユニットから延びる配線が前記拡張端子に接続されることにより、前記拡張基板を介して前記拡張ユニットに接続される、
請求項１に記載の空気調和機の室内機。
【請求項３】
前記主基板は、
前記拡張基板が複数台の前記拡張ユニットに設けられている場合、
一台の前記拡張基板から延びる配線が前記制御端子に接続されると共に、複数の前記拡張基板が直列的に接続されることにより、前記拡張基板を介して前記拡張ユニットに接続される、
請求項１に記載の空気調和機の室内機。
【請求項４】
前記主基板には、
前記本体部と複数の前記拡張ユニットのそれぞれとの接続の有無を検出する制御部が設けられており、
前記制御部は、
前記拡張基板から延びる配線が前記制御端子に接続され、かつ前記拡張基板を有しない前記拡張ユニットから延びる配線が前記拡張端子に接続されている場合、前記拡張基板を有する前記拡張ユニットへの動作指令と、前記拡張基板を有しない前記拡張ユニットへの動作指令とを、前記制御端子に接続された前記拡張基板を有する前記拡張ユニットへ送信するものである、
請求項２又は３に記載の空気調和機の室内機。
【請求項５】
前記制御部は、
前記拡張基板を有する前記拡張ユニットだけが前記主基板に接続されている場合、当該拡張ユニットだけに動作指令を送信し、
前記拡張基板を有しない前記拡張ユニットから延びる配線が前記制御端子に接続されている場合、当該拡張ユニットに直接的に動作指令を送信するものである、
請求項４に記載の空気調和機の室内機。
【請求項６】
前記主基板は、
前記拡張基板から延びる配線が前記制御端子に接続されると共に、前記拡張ユニットから延びる配線が前記拡張端子に接続されることにより、前記拡張基板を介して前記拡張ユニットに接続される、
請求項１に記載の空気調和機の室内機。
【請求項７】
前記拡張基板は、前記本体部に着脱可能に設けられている、
請求項６に記載の空気調和機の室内機。
【請求項８】
前記主基板には、
前記本体部と２つ以上の前記拡張ユニットのそれぞれとの接続の有無を検出する制御部が設けられており、
前記制御部は、
前記拡張基板を介して接続されている前記拡張ユニットを検出した場合、検出した前記拡張ユニットに対し、前記拡張基板を介して動作指令を送信する、
請求項６又は７に記載の空気調和機の室内機。
【請求項９】
前記主基板には、
前記主基板に接続されている前記拡張ユニットに電力を供給する電源回路が設けられている、
請求項１〜８の何れか一項に記載の空気調和機の室内機。
【請求項１０】
請求項１又は６に記載の空気調和機の室内機と、
基板ケースを備えた基板ユニットと、を有し、
前記拡張基板は、前記基板ケースに収納されている、
室内システム。
【発明の詳細な説明】
【技術分野】
【０００１】
本発明は、空調対象空間の空気環境を調整する空気調和機の室内機及び室内システムに関する。
【背景技術】
【０００２】
従来から、空気調和機の室内機は、吸込口から吸い込んで熱交換器を通過させた空気を吹出口から吹き出す基本機能を有している。また、近年の空気調和機の室内機には、基本機能以外の種々の機能が付加されたものがある（例えば、特許文献１参照）。特許文献１の室内機は、本体部の筐体内に、基本機能に関する電気部品が実装された主基板と、付加機能に関する電気部品が実装された複数の駆動基板と、が配備されている。
【先行技術文献】
【特許文献】
【０００３】
【特許文献１】特開２００４−２５１５４５号公報
【発明の概要】
【発明が解決しようとする課題】
【０００４】
しかしながら、特許文献１の室内機は、主基板と駆動基板とが信号線により一対一で接続されていることから、複数の駆動基板の各々を接続する複数の接続端子を主基板に設ける必要があるため、主基板のサイズが大きくなるという課題がある。また、特許文献１の室内機において、付加機能の制御を主基板のマイコンで行うように構成すると、主基板に、複数の駆動基板の各々への指令送信用の複数の接続端子を設ける必要があるため、主基板の大型化を防ぐことができない。【０００５】
本発明は、上記の課題を解決するためになされたものであり、主基板の大型化を防ぐ空気調和機の室内機及び室内システムを提供することを目的とする。
【課題を解決するための手段】
【０００６】
本発明に係る空気調和機の室内機は、複数の拡張ユニットに対応する制御端子をもつ主基板を備えた本体部を有し、主基板は、制御端子と同一規格の接続端子である少なくとも１つの拡張端子をもつ拡張基板に接続されると共に、拡張基板を介して少なくとも１台の拡張ユニットに接続されるものである。【０００７】
本発明に係る室内システムは、上記の空気調和機の室内機と、基板ケースを備えた基板ユニットと、を有し、拡張基板は、基板ケースに収納されている。
【発明の効果】
【０００８】
本発明によれば、主基板が拡張基板を介して拡張ユニットに接続されることから、複数の拡張ユニットの各々を接続するための複数の接続端子を主基板に設ける必要がないため、主基板の大型化を防ぐことができる。
【図面の簡単な説明】
【０００９】
【図１】本発明の実施の形態１に係る空気調和機の室内機及び室内システムの外観を例示した分解斜視図である。
【図２】各構成部材を連結させた図１の室内システムを化粧パネル部側からみた底面図である。
【図３】図２のＺ−Ｚ線に沿った概略断面図である。
【図４】図１の室内システムの接続関係を示す構成図である。
【図５】図１の室内機に１台の拡張ユニットを取り付けた室内システムの一例を示す構成図である。
【図６】図１の室内機に他の１台の拡張ユニットを取り付けた室内システムの一例を示す構成図である。
【図７】図１の室内機の接続関係を示す構成図である。
【図８】図１の室内システムの機能的構成を示すブロック図である。
【図９】図４の室内機にさらに拡張ユニットを取り付けた室内システムの一例を示す構成図である。
【図１０】図４〜図６に示す各接続状態に応じた室内システムの動作のうち、電源投入時の動作を示すフローチャートである。
【図１１】本発明の実施の形態１の変形例１−１に係る室内システムの一例を示す構成図である。
【図１２】図１１の室内システムの機能的構成を示すブロック図である。
【図１３】本発明の実施の形態１の変形例１−２に係る室内システムの一例を示す構成図である。
【図１４】本発明の実施の形態１の変形例１−３に係る室内システムの一例を示す構成図である。
【図１５】本発明の実施の形態２に係る空気調和機の室内機及び室内システムの一例を示す構成図である。
【図１６】本発明の実施の形態２の変形例２−１に係る空気調和機の室内機及び室内システムの一例を示す構成図である。
【図１７】本発明の実施の形態３に係る空気調和機の室内機及び室内システムの一例を示す構成図である。
【発明を実施するための形態】
【００１０】
実施の形態１．
図１は、本発明の実施の形態１に係る空気調和機の室内機及び室内システムの外観を例示した分解斜視図である。図２は、各構成部材を連結させた図１の室内システムを化粧パネル部側からみた底面図である。図３は、図２のＺ−Ｚ線に沿った概略断面図である。図１〜図３を参照して、本実施の形態１における空気調和機の室内機及び室内システムの全体的な構成について説明する。
【００１１】
本実施の形態１の室内システム１００は、空気調和機の室内機１０と、拡張ユニット４０と、拡張ユニット５０と、により構成されている。すなわち、室内システム１００は、図示せぬ圧縮機などが設けられた室外機と共に空気調和機を構成する。本実施の形態１において、室内機１０は、部屋等の空調対象空間の天井に埋め込まれて、あるいは空調対象空間の天井に吊り下げられて設置される。室内機１０は、本体部２０と化粧パネル部３０とを有している。
【００１２】
化粧パネル部３０は、下面部に、吸込口１と吹出口２とが形成されている。吸込口１は、化粧パネル部３０の下面部の中央に開口している。吸込口１には、吸込グリル３１が設けられており、吸込グリル３１には、空気中に浮遊する塵埃を捕集するフィルタ３１ａが配設されている。なお、図２では、吸込グリル３１を取り外した状態を示している。
【００１３】
図１及び図２では、化粧パネル部３０に、４つの吹出口２が形成された例を示している。４つの吹出口２は、吸込口１の四方を囲むように開口している。つまり、フィルタ３１ａは、４つの吹出口の中央に設けられている。各吹出口２は、それぞれ、長方形状となっており、その長辺が化粧パネル部３０の下面部の各辺に沿うように配置されている。
【００１４】
本体部２０は、内部が空洞となった直方体形状の箱体である筐体２５を外郭とする。本体部２０は、筐体２５の内部に、例えばターボファン等の遠心ファンである送風機２６を有している。送風機２６は、吸込口１と対向する位置に設けられている。送風機２６は、空調対象空間の空気を、吸込口１から筐体２５内に吸い込んで、吹出口２から吹き出す。加えて、本体部２０は、送風機２６の下方に、吸込口１から吸い込まれた空気を送風機２６へ導くベルマウス２８を有している。
【００１５】
また、本体部２０は、例えばフィンアンドチューブ型の熱交換器である熱交換器２７を有している。熱交換器２７は、上述した圧縮機と冷媒配管を介して接続され、冷媒回路を形成している。熱交換器２７は、筐体２５の内部に、送風機２６を囲むように設けられている。すなわち、熱交換器２７は、平面視において、吸込口１の外周側であり、吹出口２の内周側となる位置に配置されている。熱交換器２７は、その内部に流れる冷媒と、送風機２６によって筐体２５内に吸い込まれる空気とを熱交換させる。そして、熱交換器２７の下方には、熱交換器２７の表面から発生する凝縮水を受けるドレンパンが設けられている。
【００１６】
ここで、室内システム１００の内部には、吸込口１と熱交換器２７とを連通させる吸込流路と、熱交換器２７と吹出口２とを連通させる吹出流路とが形成されている。図３に示すように、室内システム１００は、本体部２０と拡張ユニット４０と拡張ユニット５０と化粧パネル部３０とが一体的に構成されたものである。すなわち、吸込流路は、化粧パネル部３０の吸込口１から、拡張ユニット５０、拡張ユニット４０、及び本体部２０に亘って形成されている。また、吹出流路は、本体部２０の熱交換器２７から、拡張ユニット４０、拡張ユニット５０、及び化粧パネル部３０の各吹出口２に亘って形成されている。
【００１７】
化粧パネル部３０の各吹出口２には、それぞれ、吹出口２から吹き出される空気の上下方向の角度を調節する上下風向調整ベーン３６が揺動自在に設けられている。各上下風向調整ベーン３６は、それぞれ、吹出流路の長手方向に延びる板状部材である。各上下風向調整ベーン３６は、それぞれ、後述する上下駆動モータ３７によって駆動され、吹出風路の長手方向に延びる回転軸を中心として搖動する。
【００１８】
本実施の形態１の化粧パネル部３０には、空調対象空間の輻射温度を検出する赤外線センサを含むムーブアイセンサ７１が設けられている。ムーブアイセンサ７１は、赤外線センサが、図示せぬ駆動装置によって周方向に回転自在となっている。ムーブアイセンサ７１の駆動装置は、後述する制御部２４によって制御される。ムーブアイセンサ７１は、赤外線センサが周方向に一回転することにより、空調対象空間の全体の輻射温度を検出する。また、本実施の形態１の本体部２０には、吸込口１から筐体２５内に吸い込まれる空気の温度を検出する温度センサ７２（図８参照）と、吸込口１から筐体２５内に吸い込まれる空気の湿度を検出する湿度センサ７３（図８参照）とが設けられている。
【００１９】
本実施の形態１では、拡張ユニット４０として、本体部２０の筐体２５と化粧パネル部３０との間に取り付けられる吹き分けユニットを例示している。拡張ユニット４０は、吹出口２と同数である４つの左右風向調整部材４６を有している。
【００２０】
４つの左右風向調整部材４６は、それぞれ、４つの吹出口２と一対一で対応するよう、拡張ユニット４０の内部に形成された吹出風路上に揺動自在に設けられている。各左右風向調整部材４６は、それぞれ、吹出口２から吹き出される空気の左右方向の角度を調節する。各左右風向調整部材４６は、それぞれ、複数の板状のベーンが所定の間隔を空けて配置され、連結部材によって連結されたものである。左右風向調整部材４６は、後述する左右駆動モータ４７の動力が連結部材に伝達されることにより、複数の板状のベーンが左右方向の往復運動を行うようになっている。
【００２１】
また、本実施の形態１では、拡張ユニット５０として、化粧パネル部３０に取り付けられ、吸込グリル３１を自動で昇降させるための昇降ユニットを例示している。詳細については後述する。
【００２２】
図４は、図１の室内システムの接続関係を示す構成図である。図５は、図１の室内機に１台の拡張ユニットを取り付けた室内システムの一例を示す構成図である。図６は、図１の室内機に他の１台の拡張ユニットを取り付けた室内システムの一例を示す構成図である。図７は、図１の室内機の接続関係を示す構成図である。
【００２３】
図４〜図６に示すように、本体部２０には、種々の拡張ユニットを直接的又は間接的に接続することができる。本実施の形態１では、本体部２０に接続する拡張ユニットとして、吹き分けユニットである拡張ユニット４０と、昇降ユニットである拡張ユニット５０と、を例示している。
【００２４】
したがって、室内システム１００における接続パターンとしては、図４〜図７の４通りが存在する。図４は、図１〜図３の構成に対応している。図７は、本体部２０に拡張ユニット４０及び拡張ユニット５０のどちらも接続されていない場合を示す。なお、化粧パネル部３０は、室内機１０の基本構成として本体部２０に接続されている。
【００２５】
まず、図４をもとに、各構成部材の概要及び各基板などの接続関係について説明する。図４に示すように、本体部２０は、室内システム１００を統括的に制御するための主基板２１を有している。主基板２１には、電源回路２２と、端子部２３を構成する制御端子２３ａ及び駆動端子２３ｂと、制御部２４と、が設けられている。
【００２６】
ここで、室内機１０と共に空気調和機を構成する室外機は、室外機の各種アクチュエータを制御する室外制御部を有しており、制御部２４は、室外制御部との間で制御信号の送受信を行うようになっている。すなわち、空気調和機は、制御部２４と室外制御部との連携により制御される。制御端子２３ａは、拡張ユニット４０及び拡張ユニット５０に対応する接続端子である。すなわち、拡張ユニット４０及び拡張ユニット５０は、制御端子２３ａの規格に適合する機器である。
【００２７】
電源回路２２は、例えば商用電源に接続され、商用電源から供給される交流電源を直流電源に変換するＤＣ電源回路である。電源回路２２は、主基板２１に接続されている拡張ユニットに電力を供給する。すなわち、電源回路２２は、本体部２０及び化粧パネル部３０の駆動に必要な電力の他、拡張ユニット４０及び拡張ユニット５０の駆動に必要な電力も生成する。本実施の形態１では、電源回路２２で生成された電力が、拡張ユニット４０の拡張基板８０と、拡張ユニット５０の標準基板５１と、に供給されるようになっている。
【００２８】
拡張ユニット４０は、制御端子２３ａと同一規格の接続端子である少なくとも１つの拡張端子８３をもつ拡張基板８０を有している。すなわち、拡張ユニット４０及び拡張ユニット５０は、拡張端子８３の規格にも適合する。図４の拡張基板８０には、１つの拡張端子８３が設けられている。また、拡張基板８０には、駆動処理部４４と入力端子４５とが設けられている。駆動処理部４４は、動作指令部２４ｂからの動作指令に応じて左右駆動モータ４７を駆動させることにより、左右風向調整部材４６を動作させる。
【００２９】
さらに、拡張基板８０は、制御部２４からの動作指令を拡張ユニットに受け渡す中継機能を備えている。すなわち、駆動処理部４４は、制御部２４からの動作指令が拡張ユニット４０及び拡張ユニット５０のどちらに向けられたものであるかを識別し、拡張ユニット５０への動作指令を転送する機能を有している。
【００３０】
拡張ユニット５０は、駆動処理部５４と入力端子５５とが設けられ、拡張ユニット５０の標準的な機能を実現するための標準基板５１を有している。本実施の形態１において、拡張ユニット５０の標準的な機能とは、吸込グリル３１を昇降させる機能である。また、拡張ユニット５０は、駆動処理部５４により駆動される昇降機構５６を有している。
【００３１】
昇降機構５６は、何れも図示しないが、例えば、吸込グリル３１の複数の箇所に連結されるワイヤと、ワイヤが巻き付けられるスプールと、スプールを回転させる昇降用駆動モータを含んで構成される。昇降用駆動モータは、スプールに巻かれたワイヤを送り出し、又はワイヤをスプールに巻き付けるように動作する。駆動処理部５４は、動作指令部２４ｂからの動作指令に応じて昇降機構５６を駆動させることにより、吸込グリル３１を昇降させる。
【００３２】
図４の場合、制御端子２３ａと入力端子４５とは、配線１１により接続されている。拡張端子８３と入力端子５５とは、配線１２により接続されている。駆動端子２３ｂと上下駆動モータ３７とは、配線１３により接続されている。このようにして、主基板２１は、拡張基板８０を介して拡張ユニット５０に接続される。
【００３３】
すなわち、主基板２１は、拡張基板８０から延びる配線１１が制御端子２３ａに接続されると共に、拡張基板８０を有しない拡張ユニット５０から延びる配線１２が拡張端子８３に接続されることにより、拡張基板８０を介して拡張ユニット５０に接続される。この場合、電源回路２２は、配線１１を通じて拡張ユニット４０に電力を供給し、配線１１及び配線１２を通じて拡張ユニット５０に電力を供給する。
【００３４】
ここで、制御部２４は、本体部２０と、拡張ユニット４０及び拡張ユニット５０のそれぞれとの接続の有無を検出する機能を有している。そして、図４のように、配線１１が制御端子２３ａに接続され、かつ配線１２が拡張端子８３に接続されている場合、制御部２４は、拡張ユニット４０への動作指令と拡張ユニット５０への動作指令とを、拡張基板８０を有する拡張ユニット４０へ送信する。
【００３５】
図５のように、本体部２０に拡張ユニット４０だけが接続されている場合、つまり拡張基板８０を有する拡張ユニット４０だけが主基板２１に接続されている場合、制御部２４は、拡張ユニット４０だけに動作指令を送信する。この場合、電源回路２２は、配線１１を通じて拡張ユニット４０に電力を供給する。
【００３６】
図６のように、本体部２０に拡張ユニット５０だけが接続されている場合、つまり拡張基板８０を有しない拡張ユニット５０から延びる配線１２が制御端子２３ａに接続されている場合、制御部２４は、拡張ユニット５０に直接的に動作指令を送信する。図６の場合は、図４の場合とは異なり、拡張ユニット５０の入力端子５５から延びる配線１２が、制御端子２３ａに直接的に接続されている。よって、電源回路２２は、配線１１を通じて拡張ユニット５０に電力を供給する。
【００３７】
図４〜図６の構成を採る場合は、主基板２１に設ける端子数を最低限に抑えることができるため、主基板２１の大型化を防ぐことができる。また、図７のように、室内機１０に拡張ユニットを付加せずに用いる場合でも、主基板２１では、１つの制御端子２３ａを設けるスペースが増えているだけなので、主基板２１の大型化を抑制することができる。
【００３８】
図８は、図１の室内システムの機能的構成を示すブロック図である。図８に示すように、制御部２４は、接続判定部２４ａと、動作指令部２４ｂと、通信部２４ｃと、演算部２４ｄと、記憶部２４ｅと、を有している。接続判定部２４ａは、端子部２３を監視することにより、本体部２０と複数の拡張ユニットのそれぞれとの接続の有無、つまり本体部２０の接続状態を検出する。
【００３９】
図８の構成の場合、接続判定部２４ａは、本体部２０と、拡張ユニット４０及び拡張ユニット５０のそれぞれとの接続の有無を検出する。本実施の形態１において、接続判定部２４ａは、電源投入時、つまり室内システム１００の電源が投入されたときに、図４〜図７に示す４通りのうちのどの接続状態であるかを判定する。すなわち、接続判定部２４ａは、電源投入時に、本体部２０と、拡張ユニット４０及び拡張ユニット５０のそれぞれとの接続状態についての判定を行う。そして、接続判定部２４ａは、判定の結果である接続状態データを動作指令部２４ｂへ出力する。
【００４０】
通信部２４ｃは、コントロール装置１７０との通信を行い、コントロール装置１７０から送信される操作信号を動作指令部２４ｂに受け渡す。ここで、コントロール装置１７０は、室内システム１００を操作し管理するためのリモートコントローラ、又は室内システム１００を含む空気調和機を統括的に管理する集中コントローラなどである。コントロール装置１７０は、通信部２４ｃと有線又は無線により接続される。ユーザは、コントロール装置１７０を用いて、空気調和機の運転条件などの設定及び設定変更を行うことができる。すなわち、コントロール装置１７０は、風向、風量、及び目標温度などを設定し変更する操作を受け付け、受け付けた操作内容を示す操作信号を通信部２４ｃへ送信する。
【００４１】
演算部２４ｄは、ムーブアイセンサ７１、温度センサ７２、及び湿度センサ７３などの各種センサから検出データを取得し、取得した検出データを用いて空調制御のための演算を行う。例えば、演算部２４ｄは、ムーブアイセンサ７１から、検出データとして、空調対象空間の輻射温度の情報を取得すると、輻射温度が基準温度よりも高い範囲を空調対象空間全域から検出する等の処理により、空調対象空間に存在する人体の位置を検出する。そして、演算部２４ｄは、検出した人体の位置を示す位置情報を動作指令部２４ｂへ出力する。
【００４２】
また、演算部２４ｄは、温度センサ７２から、検出データとして、空気の温度の情報を取得すると、検出データが示す温度と予め設定された基準温度とを比較し、比較の結果を示す温度比較情報を動作指令部２４ｂへ出力する。基準温度は、例えば、コントロール装置１７０などで設定された目標温度であり、設定値は適宜変更することができる。演算部２４ｄは、湿度センサ７３から、検出データとして、空気の湿度の情報を取得すると、検出データが示す湿度と予め設定された基準湿度とを比較し、比較の結果を示す湿度比較情報を動作指令部２４ｂへ出力する。基準湿度は、快適性などを考慮して予め設定されており、設定値は適宜変更することができる。
【００４３】
動作指令部２４ｂは、電源投入時に接続判定部２４ａから出力される接続状態データをもとにシステム構成を特定する。そして、動作指令部２４ｂは、特定したシステム構成に基づき、基本設定に従って、送風機２６、拡張ユニット４０、拡張ユニット５０、及び上下駆動モータ３７のうちの少なくとも１台を制御する。ここで、基本設定とは、例えば、最後に室内システム１００の電源が落とされたときの設定である。もっとも、基本設定は、直近の設定に限らず、出荷時などにおけるデフォルトの設定であってもよい。
【００４４】
動作指令部２４ｂは、図４のシステム構成であれば、送風機２６、拡張ユニット４０、拡張ユニット５０、及び上下駆動モータ３７を制御する。動作指令部２４ｂは、図５のシステム構成であれば、送風機２６、拡張ユニット４０、及び上下駆動モータ３７を制御する。動作指令部２４ｂは、図６のシステム構成であれば、送風機２６、拡張ユニット５０、及び上下駆動モータ３７を制御する。動作指令部２４ｂは、図７のシステム構成であれば、送風機２６及び上下駆動モータ３７を制御する。
【００４５】
動作指令部２４ｂは、通信部２４ｃから出力される操作信号、又は演算部２４ｄから出力される位置情報、温度比較情報、もしくは湿度比較情報に基づき、送風機２６、拡張ユニット４０、拡張ユニット５０、及び上下駆動モータ３７を制御する。動作指令部２４ｂは、ムーブアイセンサ７１から人体の位置を示す検出データを取得した場合、例えば、吹出口２から吹き出される空気が人体の位置を含む領域に向かうように、送風機２６、上下風向調整ベーン３６、及び左右風向調整部材４６のうちの少なくとも１つを動作させる。
【００４６】
より具体的に、動作指令部２４ｂは、上下駆動モータ３７に制御信号を送ることにより上下駆動モータ３７を駆動させ、上下風向調整ベーン３６を動作させる。動作指令部２４ｂは、左右風向調整部材４６を動作させる場合、制御端子２３ａを介して拡張基板８０の駆動処理部４４に、左右駆動モータ４７の駆動を指示する左右駆動信号を動作指令として送信する。駆動処理部４４は、動作指令部２４ｂから送信される左右駆動信号に基づいて、左右駆動モータ４７を駆動し、左右風向調整部材４６を動作させる。
【００４７】
また、動作指令部２４ｂは、コントロール装置１７０から吸込グリル３１の下降又は上昇を指示する操作信号を受信した場合、制御端子２３ａを介して拡張基板８０の駆動処理部４４に、昇降機構５６の駆動を指示する昇降駆動信号を動作指令として送信する。駆動処理部４４は、動作指令部２４ｂから送信される昇降駆動信号を、拡張端子８３を介して駆動処理部５４に送信する。駆動処理部５４は、動作指令部２４ｂから拡張基板８０を介して送信される昇降駆動信号に基づいて、昇降機構５６を駆動し、吸込グリル３１を下降又は上昇させる。
【００４８】
記憶部２４ｅには、基準温度及び基準湿度などのデータの他、制御部２４の動作プログラムなどが記憶されている。また、記憶部２４ｅには、接続判定部２４ａによる判定結果である接続状態データが動作指令部２４ｂによって記憶される。もっとも、接続状態データは、接続判定部２４ａが記憶部２４ｅに記憶してもよく、この場合、動作指令部２４ｂは、記憶部２４ｅの接続状態データを読み出してシステム構成を特定することになる。
【００４９】
ところで、上記の説明では、室内機１０に２台の拡張ユニットを組み付ける場合を例示したが、これに限らず、３台以上の拡張ユニットを組み付けるようにしてもよい。
【００５０】
図９は、図４の室内機にさらに拡張ユニットを取り付けた室内システムの一例を示す構成図である。図９の例では、室内機１０に組み付ける拡張ユニット６０として、直付方式の加湿器を例示している。拡張ユニット６０は、標準基板６１と加湿機構６６とを有しており、標準基板６１には、駆動処理部６４と入力端子６５とが設けられている。駆動処理部６４は、加湿機構６６の動作を制御するものである。
【００５１】
本例では、拡張ユニット６０が、制御端子２３ａ及び拡張端子８３の規格に適合しない場合を想定している。よって、主基板２１には、端子部２３の構成として、制御端子２３ｃが設けられている。入力端子６５から延びる配線１４が制御端子２３ｃに接続されている。電源回路２２は、拡張ユニット６０の駆動に必要な電力をさらに生成して、配線１４を通じて拡張ユニット６０へ供給するようになっている。
【００５２】
動作指令部２４ｂは、拡張ユニット６０を動作させる場合、制御端子２３ｃを介して駆動処理部６４に、加湿機構６６の駆動を指示する加湿駆動信号を動作指令として送信する。駆動処理部６４は、動作指令部２４ｂからの加湿駆動信号に応じて加湿機構６６を駆動させることにより、室内に吹き出される空気の湿度を調整する。
【００５３】
制御部２４、駆動処理部４４、及び駆動処理部５４は、上記の各機能を実現する回路デバイスのようなハードウェア、もしくは、マイコンなどの演算装置と、こうした演算装置と協働して上記の各機能を実現させるソフトウェアとによって構成することができる。なお、記憶部２４ｅは、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）、フラッシュメモリ等のＰＲＯＭ（Ｐｒｏｇｒａｍｍａｂｌｅ  ＲＯＭ）、又はＨＤＤ（Ｈａｒｄ  Ｄｉｓｋ  Ｄｒｉｖｅ）等により構成することができる。
【００５４】
図１０は、図４〜図６に示す各接続状態に応じた室内システムの動作のうち、電源投入時の動作を示すフローチャートである。ここでは、少なくとも１台の拡張ユニットが接続されていることを前提として、拡張ユニットを駆動制御する際の動作の流れを説明する。
【００５５】
接続判定部２４ａは、室内システム１００の電源が投入されると、本体部２０と、拡張ユニット４０及び拡張ユニット５０のそれぞれとの接続状態についての判定を行い、判定の結果である接続状態データを動作指令部２４ｂに出力する（ステップＳ１０１）。
【００５６】
動作指令部２４ｂは、拡張ユニット４０だけが接続されている状態（図５参照）を示す接続状態データを接続判定部２４ａから入力した場合（ステップＳ１０１／Ｄ１）、拡張ユニット４０の動作を指示する動作指令を基本設定に基づいて生成する。そして、動作指令部２４ｂは、生成した動作指令を拡張ユニット４０の駆動処理部４４に送信する（ステップＳ１０２）。駆動処理部４４は、動作指令部２４ｂから送信された動作指令に従い、左右駆動モータ４７などのアクチュエータにパルス数などを指示する駆動信号を出力する（ステップＳ１０３）。これにより、吹き分けユニットである拡張ユニット４０の左右風向調整部材４６が動作する（ステップＳ１０４）。
【００５７】
動作指令部２４ｂは、拡張ユニット５０だけが接続されている状態（図６参照）を示す接続状態データを接続判定部２４ａから入力した場合（ステップＳ１０１／Ｄ２）、拡張ユニット５０の動作を指示する動作指令を基本設定に基づいて生成する。そして、動作指令部２４ｂは、生成した動作指令を拡張ユニット５０の駆動処理部５４に送信する（ステップＳ１０５）。駆動処理部５４は、動作指令部２４ｂから送信された動作指令に従い、初期動作を指示する駆動信号を昇降機構５６に出力する（ステップＳ１０６）。これにより、昇降ユニットである拡張ユニット５０の昇降機構５６が動作する（ステップＳ１０７）。
【００５８】
動作指令部２４ｂは、拡張ユニット４０と拡張ユニット５０との双方が接続されている状態（図４参照）を示す接続状態データを接続判定部２４ａから入力した場合（ステップＳ１０１／Ｄ３）、基本設定に従い、拡張ユニット４０の動作を指示する動作指令と、拡張ユニット５０の動作を指示する動作指令とを生成する。そして、動作指令部２４ｂは、拡張ユニット４０への動作指令と、拡張ユニット５０への動作指令とを、拡張ユニット４０の駆動処理部４４に送信する（ステップＳ１０８）。
【００５９】
駆動処理部４４は、動作指令部２４ｂから送信された拡張ユニット４０への動作指令に従い、左右駆動モータ４７に駆動信号を出力し（ステップＳ１０３）、左右風向調整部材４６を動作させる（ステップＳ１０４）。また、駆動処理部４４は、動作指令部２４ｂから送信された拡張ユニット５０への動作指令を拡張ユニット５０の駆動処理部５４に転送する（ステップＳ１０９）。駆動処理部５４は、駆動処理部４４から転送された動作指令に従い、昇降機構５６に初期動作を指示する駆動信号を出力し（ステップＳ１０６）、昇降機構５６を動作させる（ステップＳ１０７）。
【００６０】
もっとも、本実施の形態１では、拡張ユニット５０として昇降ユニットを例示しているため、拡張ユニット５０は電源投入時に動作させないことも想定される。したがって、基本設定に拡張ユニット５０の初期動作が含まれていなければ、動作指令部２４ｂは、拡張ユニット５０への動作指令を生成しない。
【００６１】
ここで、接続判定部２４ａ又は動作指令部２４ｂは、図１０に示す電源投入時の処理の一環として、接続状態データを記憶部２４ｅに記憶させる。したがって、動作指令部２４ｂは、電源投入以降において、通信部２４ｃから操作信号を取得したとき、又は演算部２４ｄから各種の情報を取得したとき、記憶部２４ｅの接続状態データを読み出してシステム構成を特定する。そして、動作指令部２４ｂは、特定したシステム構成に応じた動作指令を、拡張ユニット４０の駆動処理部４４もしくは拡張ユニット５０の駆動処理部５４に送信する。
【００６２】
以上のように、本実施の形態１の室内機１０は、主基板２１が拡張基板８０を介して拡張ユニット５０に接続されるようになっている。よって、複数の拡張ユニットの各々と接続するための複数の接続端子を主基板２１に設ける必要がないため、主基板２１の大型化を防ぐことができる。すなわち、室内機１０は、基本機能以外の種々の機能を付加する場合であっても、主基板２１のサイズ変更を行う必要がないため、経済性を高めることができる。そして、主基板２１のコンパクト化により、筐体２５内の風路を確保することができるため、室内機１０の性能向上を図ると共に、空調制御の質を高めることができる。
【００６３】
より具体的に、本実施の形態１の室内機１０は、拡張基板８０が、制御端子２３ａに適合する複数の拡張ユニットのうちの１台である拡張ユニット４０に設けられている。そして、主基板２１は、制御端子２３ａに拡張ユニット４０の配線１１が接続され、拡張基板８０の拡張端子８３に拡張ユニット５０の配線１２が接続されることにより、拡張ユニット５０に接続される。よって、主基板２１に拡張ユニット５０を接続するための接続端子を設ける必要がなく、主基板２１のコンパクト化を図ることができるため、室内機１０に複数の拡張ユニットを付加する場合であっても、本体部２０の外郭となる筐体２５の小型化を図ることができる。したがって、室内機１０の据え付け場所への制約条件を緩和することができる。
【００６４】
また、制御部２４は、拡張基板８０から延びる配線１１が制御端子２３ａに接続され、かつ拡張ユニット５０から延びる配線１２が拡張端子８３に接続されている場合、拡張ユニット４０及び拡張ユニット５０のそれぞれへの動作指令を拡張ユニット４０へ送信する。すなわち、室内機１０は、主基板２１と拡張基板８０と標準基板５１とを直列的に配線接続すれば、制御部２４からの制御信号を、拡張ユニット４０だけでなく、拡張ユニット５０にも伝達することができる。加えて、制御部２４は、拡張ユニット４０だけが主基板２１に接続されている場合、拡張ユニット４０だけに動作指令を送信し、拡張ユニット５０から延びる配線１２が制御端子２３ａに接続されている場合、拡張ユニット５０に直接的に動作指令を送信する。よって、主基板２１のコンパクト化を図ると共に、各拡張ユニットの制御を円滑に行うことができる。
【００６５】
さらに、主基板２１には、主基板２１に接続されている拡張ユニットに電力を供給する電源回路２２が設けられている。すなわち、電源回路２２は、例えば図４のシステム構成の場合、主基板２１に直接的に接続されている拡張ユニット４０と、主基板２１に間接的に接続されている拡張ユニット５０との双方に電力を供給する。したがって、電源回路を拡張基板８０及び標準基板５１に別途設ける必要がないため、室内機１０に付加される拡張ユニットの複雑化及び大型化を抑制することができ、室内システム１００の全体での小型化を図ることができる。
【００６６】
そして、吹き分けユニットである拡張ユニット４０を室内機１０に取り付けた場合は、吹出口２から吹き出される空気の向きを、上下方向だけではなく、左右方向にも調整することができるため、空調の質をさらに高めることができる。また、昇降ユニットである拡張ユニット５０を室内機１０に取り付けた場合は、吸込グリル３１を自動的に昇降させることができるため、ユーザの利便性の向上を図ることができる。さらに、加湿器である拡張ユニット６０を室内機１０に取り付けた場合は、空調対象空間の細かな湿度調整も可能となるため、ユーザの快適性の向上を図ることができる。
【００６７】
＜変形例１−１＞
上記の説明では、拡張端子８３を備えた拡張基板８０が拡張ユニット４０に設けられている場合を例示したが、これに限らず、拡張基板８０は、他の拡張ユニットに設けられてもよい。ここでは、拡張基板８０が拡張ユニット５０に設けられた場合を想定し、上記の内容とは異なる構成及び動作について説明する。
【００６８】
図１１は、本発明の実施の形態１の変形例１−１に係る室内システムの一例を示す構成図である。図１１の例において、拡張ユニット５０は、制御端子２３ａと同一規格の拡張端子８３をもつ拡張基板８０を有している。一方、拡張ユニット４０は、拡張ユニット４０の標準的な機能を実現するための標準基板４１を有している。本変形例１−１において、拡張ユニット４０の標準的な機能とは、左右風向調整部材４６を動作させる機能である。
【００６９】
かかる構成の場合、拡張ユニット５０の入力端子５５から延びる配線１２が、本体部２０の主基板２１の制御端子２３ａに接続される。また、拡張ユニット４０の入力端子４５から延びる配線１１が、拡張ユニット５０の拡張基板８０の拡張端子８３に接続される。したがって、電源回路２２は、配線１２を通じて拡張ユニット５０に電力を供給し、配線１１及び配線１２を通じて拡張ユニット４０に電力を供給する。
【００７０】
図１２は、図１１の室内システムの機能的構成を示すブロック図である。本変形例１−１の動作指令部２４ｂは、左右風向調整部材４６を動作させる場合、制御端子２３ａを介して拡張基板８０の駆動処理部５４に、左右駆動モータ４７の駆動を指示する左右駆動信号を送信する。駆動処理部５４は、動作指令部２４ｂから送信される左右駆動信号を、拡張端子８３を介して駆動処理部４４に転送する。すなわち、本変形例１−１の駆動処理部５４は、制御部２４からの動作指令が拡張ユニット４０及び拡張ユニット５０のどちらに向けられたものであるかを識別し、拡張ユニット４０への動作指令を転送する機能を有している。駆動処理部４４は、動作指令部２４ｂから駆動処理部５４を介して送信される左右駆動信号に基づいて左右駆動モータ４７を駆動し、左右風向調整部材４６を動作させる。
【００７１】
また、動作指令部２４ｂは、吸込グリル３１を昇降させる場合、制御端子２３ａを介して拡張基板８０の駆動処理部５４に、昇降機構５６の駆動を指示する昇降駆動信号を送信する。駆動処理部５４は、動作指令部２４ｂから送信される昇降駆動信号に基づいて昇降機構５６を駆動し、吸込グリル３１を昇降させる。
【００７２】
以上のように、本変形例１−１の室内機１０は、拡張基板８０が、制御端子２３ａに適合する複数の拡張ユニットのうちの１台である拡張ユニット５０に設けられている。そして、主基板２１は、制御端子２３ａに拡張ユニット５０の配線１２が接続され、拡張基板８０の拡張端子８３に拡張ユニット４０の配線１１が接続されることにより、拡張ユニット４０に接続される。よって、主基板２１に拡張ユニット４０を接続するための接続端子を設ける必要がなく、主基板２１のコンパクト化を図ることができるため、室内機１０に複数の拡張ユニットを付加する場合であっても、本体部２０の外郭となる筐体２５の小型化を図ることができる。したがって、室内機１０の据え付け場所への制約条件を緩和することができる。
【００７３】
また、制御部２４は、拡張基板８０から延びる配線１２が制御端子２３ａに接続され、かつ拡張ユニット５０から延びる配線１１が拡張端子８３に接続されている場合、拡張ユニット４０及び拡張ユニット５０のそれぞれへの動作指令を拡張ユニット５０へ送信する。すなわち、室内機１０は、主基板２１と拡張基板８０と標準基板５１とを直列的に配線接続すれば、制御部２４からの制御信号を、拡張ユニット５０だけでなく、拡張ユニット４０にも伝達することができる。よって、主基板２１のコンパクト化を図ると共に、各拡張ユニットの制御を円滑に行うことができる。
【００７４】
さらに、電源回路２２は、例えば図１２のシステム構成の場合、主基板２１に直接的に接続されている拡張ユニット５０と、主基板２１に間接的に接続されている拡張ユニット４０との双方に電力を供給する。したがって、電源回路を拡張基板８０及び標準基板５１に別途設ける必要がないため、室内機１０に付加される拡張ユニットの複雑化及び大型化を抑制することができ、室内システム１００の全体での小型化を図ることができる。
【００７５】
＜変形例１−２＞
図９では、拡張ユニット６０が制御端子２３ａ及び拡張端子８３の規格に適合しない場合を例示したが、これに限定されない。追加する拡張ユニットが制御端子２３ａ及び拡張端子８３の規格に適合する場合は、複数の拡張ユニットに拡張基板８０を設けることにより、３台以上の拡張ユニットを追加する場合でも、主基板２１の接続端子の数を減らすことができる。
【００７６】
図１３は、本発明の実施の形態１の変形例１−２に係る室内システムの一例を示す構成図である。本変形例１−２では、拡張ユニット６０が制御端子２３ａ及び拡張端子８３の規格に適合する場合を想定し、上記の内容とは異なる構成及び動作について説明する。
【００７７】
図１３では、制御端子２３ａと同一規格の拡張端子８３をもつ拡張基板８０が拡張ユニット４０及び拡張ユニット５０の双方に設けられている場合を例示している。拡張ユニット５０の拡張基板８０は、上述した標準基板５１が有する機能と共に、制御部２４からの動作指令を拡張ユニット６０に受け渡す中継機能を有している。拡張ユニット６０の入力端子６５から延びる配線１４は、拡張ユニット５０の拡張基板８０に設けられた拡張端子８３に接続されている。電源回路２２は、配線１１、配線１２、及び配線１４を通じて拡張ユニット６０に電力を供給する。
【００７８】
本変形例１−２の接続判定部２４ａは、電源投入時に、本体部２０と、拡張ユニット４０、拡張ユニット５０、及び拡張ユニット６０のそれぞれとの接続状態についての判定を行い、判定の結果である接続状態データを動作指令部２４ｂへ出力する。
【００７９】
本変形例１−２の動作指令部２４ｂは、拡張ユニット６０を動作させる場合、加湿駆動信号を、制御端子２３ａを介して拡張基板８０の駆動処理部４４に送信する。駆動処理部４４は、動作指令部２４ｂから送信される加湿駆動信号を、拡張端子８３を介して拡張ユニット５０の駆動処理部５４に転送する。駆動処理部５４は、駆動処理部５４から転送される加湿駆動信号を、拡張端子８３を介して拡張ユニット６０の駆動処理部６４に送信する。駆動処理部６４は、動作指令部２４ｂから駆動処理部４４及び駆動処理部５４を介して送信される加湿駆動信号に応じて加湿機構６６を駆動させ、室内に吹き出される空気の湿度を調整する。
【００８０】
ここで、室内機１０と直列的に接続する拡張ユニットは、３台に限定されない。室内機１０は、４台以上の拡張ユニットを直列的に接続できるように構成してもよい。拡張基板８０が複数台の拡張ユニットに設けられている場合、主基板２１は、一台の拡張基板８０から延びる配線が制御端子２３ａに接続されると共に、複数の拡張基板８０が直列的に接続されることにより、拡張基板８０を介して拡張ユニットに接続される。このとき、拡張基板８０を有しない拡張ユニットが室内機１０に取り付けられる場合、主基板２１は、複数の拡張基板８０及び標準基板が直列的に接続されることにより、拡張基板８０を有しない拡張ユニットにも接続される。図１３の例において、主基板２１は、２つの拡張基板８０及び標準基板６１が直列的に接続されることにより、拡張ユニット６０に接続されている。そして、制御部２４は、拡張基板８０を有する複数の拡張ユニットへの動作指令と、拡張基板８０を有しない拡張ユニットへの動作指令とを、制御端子２３ａに接続された拡張基板８０を有する拡張ユニットへ送信する。
【００８１】
以上のように、本変形例１−２の室内機１０は、主基板２１と２つの拡張基板８０と標準基板５１とを直列的に配線接続すれば、制御部２４からの制御信号を、拡張ユニット４０だけでなく、拡張ユニット５０及び拡張ユニット６０にも伝達することができる。よって、主基板２１のコンパクト化を図ると共に、各拡張ユニットの制御を円滑に行うことができる。
【００８２】
もっとも、本変形例１−２の室内機１０及び室内システム１００には、前述した変形例１−１の構成も適用することができる。すなわち、本体部２０と拡張ユニット５０とを接続し、拡張ユニット５０と拡張ユニット４０とを接続し、拡張ユニット４０と拡張ユニット６０とを接続するようにしてもよい。さらに、標準基板６１を拡張基板８０に置き換える等により、拡張ユニット６０に中継機能を持たせるようにすれば、さらに多くのシステム構成を構築することができる。
【００８３】
＜変形例１−３＞
図９では、拡張ユニット６０が制御端子２３ａ及び拡張端子８３の規格に適合しない場合を例示したが、これに限定されない。追加する拡張ユニットが制御端子２３ａ及び拡張端子８３の規格に適合する場合は、拡張端子８３を拡張基板８０に増設することにより、３台以上の拡張ユニットを追加する場合でも、主基板２１の接続端子の数を減らすことができる。
【００８４】
図１４は、本発明の実施の形態１の変形例１−３に係る室内システムの一例を示す構成図である。本変形例１−３では、拡張ユニット６０が制御端子２３ａ及び拡張端子８３の規格に適合する場合を想定し、上記の内容とは異なる構成及び動作について説明する。
【００８５】
本変形例１−３の拡張基板８０には、２つの拡張端子８３が設けられている。そして、拡張ユニット５０の入力端子５５から延びる配線１２が、一方の拡張端子８３に接続され、拡張ユニット６０の入力端子６５から延びる配線１４が、他方の拡張端子８３に接続されている。したがって、電源回路２２は、配線１１及び配線１４を通じて拡張ユニット６０に電力を供給する。
【００８６】
動作指令部２４ｂは、拡張ユニット６０を動作させる場合、加湿駆動信号を、制御端子２３ａを介して拡張基板８０の駆動処理部４４に送信する。駆動処理部４４は、動作指令部２４ｂから送信される加湿駆動信号を、他方の拡張端子８３を介して駆動処理部６４に送信する。駆動処理部６４は、動作指令部２４ｂから拡張基板８０を介して送信される加湿駆動信号に応じて加湿機構６６を駆動させ、室内に吹き出される空気の湿度を調整する。
【００８７】
もっとも、図１４では、室内機１０に３台の拡張ユニットが付加される場合を例示しているが、これに限らず、室内機１０は、４つ以上の拡張ユニットを付加できるようにしてもよい。すなわち、拡張基板８０に３つ以上の拡張端子８３を設け、各拡張端子８３と各拡張ユニットとを一対一で接続するようにしてもよい。そして、拡張基板８０を設ける拡張ユニットは、オプション部品として用いられる頻度等の実情に応じて適宜変更するとよい。
【００８８】
以上のように、本変形例１−３の室内機１０は、制御部２４が、本体部２０に接続されている拡張ユニットのそれぞれに対する動作指令を生成し、制御端子２３ａを介して各拡張ユニットへ送信するようになっている。したがって、図９の場合のように、制御端子２３ｃを設ける必要がないため、３台以上の拡張ユニットを追加する場合でも、主基板２１の大型化を防ぐことができる。
【００８９】
実施の形態２．
前述した実施の形態１では、拡張基板８０が拡張ユニットに設けられている場合を例示したが、これに限定されない。本実施の形態２の室内システムは、本体部２０の内部に拡張基板８０が設けられている点に特徴がある。実施の形態１と同等の構成部材については同一の符号を用いて説明は省略する。
【００９０】
図１５は、本発明の実施の形態２に係る空気調和機の室内機及び室内システムの一例を示す構成図である。図１５の例において、室内システム２００は、本体部２０Ａ及び化粧パネル部３０を備えた室内機１０Ａと、拡張ユニット４０と、拡張ユニット５０と、拡張ユニット６０と、室内機１０の拡張ユニットとしてのムーブアイセンサ７１と、を有している。
【００９１】
本体部２０Ａは、制御端子２３ａと同一規格である複数の拡張端子８３を備えた拡張基板８０を有している。図１５の場合、拡張基板８０には、拡張ユニットと同数である４つの拡張端子８３と、入力端子８５とが設けられている。制御端子２３ａと入力端子８５とは配線１８により接続されている。すなわち、拡張基板８０の入力端子８５から延びる配線１８は、制御端子２３ａに接続されている。
【００９２】
そして、拡張ユニット４０、拡張ユニット５０、拡張ユニット６０、及びムーブアイセンサ７１が、制御端子２３ａ及び拡張端子８３の規格に適合する場合を想定する。よって、各拡張端子８３には、それぞれ、拡張ユニット４０から延びる配線１１と、拡張ユニット５０から延びる配線１２と、拡張ユニット６０から延びる配線１４と、ムーブアイセンサ７１から延びる配線１５とが、一対一で接続されている。
【００９３】
本実施の形態２の接続判定部２４ａは、電源投入時に、本体部２０Ａと、２つ以上の拡張ユニットのそれぞれとの接続の有無を検出する。図１５の構成の場合、接続判定部２４ａは、本体部２０Ａと、拡張ユニット４０、拡張ユニット５０、拡張ユニット６０、及びムーブアイセンサ７１のそれぞれとの接続状態についての判定を行い、判定の結果である接続状態データを動作指令部２４ｂへ出力する。動作指令部２４ｂは、動作指令部２４ｂにより、制御端子２３ａ及び拡張端子８３を介して、拡張ユニット４０、拡張ユニット５０、拡張ユニット６０、及びムーブアイセンサ７１のそれぞれに動作指令を送信する。すなわち、制御部２４は、拡張基板８０を介して接続されている拡張ユニットを検出した場合、検出した拡張ユニットに対し、拡張基板８０を介して動作指令を送信する。
【００９４】
電源回路２２は、配線１８と、配線１１、配線１２、配線１４、又は配線１５とを通じて、拡張ユニット４０、拡張ユニット５０、拡張ユニット６０、及びムーブアイセンサ７１のそれぞれに電力を供給する。
【００９５】
ここで、図１５では、室内機１０Ａに４台の拡張ユニットが取り付けられる場合を例示したが、これに限らず、室内機１０Ａには、１台〜３台の拡張ユニットが取り付けられてもよく、５台以上の拡張ユニットが取り付けられてもよい。つまり、図１５では、拡張基板８０に４つの拡張端子８３を設ける場合を例示したが、これに限らず、拡張基板８０には、３つ以下の拡張端子８３を設けてもよく、５つ以上の拡張端子８３を設けてもよい。
【００９６】
以上のように、本実施の形態２の室内機１０Ａは、主基板２１に拡張基板８０を介して複数の拡張ユニットを接続することができる。よって、複数の拡張ユニットの各々と接続するための複数の制御端子２３ａを主基板２１に設ける必要がないため、主基板２１の大型化を防ぐことができ、経済性の向上を図ることができる。
【００９７】
また、拡張基板８０は、本体部２０Ａに着脱可能に設けられている。すなわち、室内機１０は、複数の拡張ユニットを取り付ける場合であっても、拡張基板８０を増設することにより、主基板２１のサイズ変更を行う必要がない。また、室内機１０Ａは、拡張ユニットを取り付けない場合には、拡張基板８０を設けないようにすることで、筐体２５内の風路を拡張することができる。つまり、主基板２１のサイズアップ抑制により経済性を高め、かつ筐体２５内の風路確保により室内機１０Ａの性能向上を図ることができる。
【００９８】
また、主基板２１は、拡張基板８０から延びる配線が制御端子２３ａに接続されると共に、１台又は複数台の拡張ユニットから延びる配線が拡張端子８３に接続されることにより、拡張基板８０を介して１台又は複数台の拡張ユニットに接続される。よって、主基板２１には、１つの制御端子２３ａを設ければよいことから、主基板２１のコンパクト化を図ることができる。
【００９９】
さらに、制御部２４は、拡張基板８０を介して接続されている拡張ユニットを検出した場合、検出した拡張ユニットに対し、拡張基板８０を介して動作指令を送信する。すなわち、室内機１０Ａは、制御部２４からの制御信号を、拡張基板８０を介して１台又は複数台の拡張ユニットに伝達することができるため、各拡張ユニットの制御を円滑に行うことができる。
【０１００】
＜変形例２−１＞
図１６は、本発明の実施の形態２の変形例２−１に係る空気調和機の室内機及び室内システムの一例を示す構成図である。本変形例２−１では、複数の拡張ユニットのうちの少なくとも２台が制御端子２３ａの規格に適合しない場合を想定している。図１６では、拡張ユニット４０及び拡張ユニット６０が制御端子２３ａの規格に適合し、拡張ユニット５０及びムーブアイセンサ７１が制御端子２３ａの規格に適合しない場合を例示している。ただし、ここでは、拡張ユニット５０及びムーブアイセンサ７１が同一の接続端子の規格に適合している場合を想定する。
【０１０１】
図１６の例において、主基板２１には、制御端子２３ｃが設けられ、拡張基板８０には、２つの拡張端子８３と、２つの拡張端子８３ｃと、入力端子８５と、が設けられている。２つの拡張端子８３ｃは、制御端子２３ｃと同一規格の接続端子である。そして、拡張ユニット５０から延びる配線１２は一方の拡張端子８３ｃに接続され、ムーブアイセンサ７１から延びる配線１５は他方の拡張端子８３ｃに接続されている。
【０１０２】
ここで、図１６では、室内機１０Ａに４台の拡張ユニットが取り付けられる場合を例示したが、これに限らず、室内機１０Ａには、１台〜３台の拡張ユニットが取り付けられてもよく、５台以上の拡張ユニットが取り付けられてもよい。つまり、図１６では、主基板２１に制御端子２３ａ及び制御端子２３ｃを設け、拡張基板８０に２つの拡張端子８３と２つの拡張端子８３ｃとを設ける場合を例示したが、これに限定されない。主基板２１に設ける制御端子及び拡張基板８０に設ける拡張端子の数及び種類等の組み合わせは、複数の拡張ユニットの組み合わせ、すなわち複数の拡張ユニットそれぞれの接続端子に対する適合性により調整するとよい。
【０１０３】
以上のように、本変形例２−１の室内機１０Ａによっても、主基板２１に設ける制御端子の数を最低限に抑えることができるため、主基板２１の大型化を防ぐことができ、経済性の向上を図ることができる。
【０１０４】
実施の形態３．
図１７は、本発明の実施の形態３に係る空気調和機の室内機及び室内システムの一例を示す構成図である。上述した実施の形態１及び２と同等の構成部材については同一の符号を用いて説明は省略する。
【０１０５】
図１７に示すように、本実施の形態３の室内システム３００は、拡張基板８０と基板ケース９１とを備えた基板ユニット９０を有している。すなわち、室内システム３００では、実施の形態２において本体部２０Ａに設けられていた拡張基板８０が、基板ケース９１に収納されている。本実施の形態３の基板ユニット９０は、本体部２０に着脱可能に設けられている。
【０１０６】
以上のように、本実施の形態３の室内システム３００は、本体部２０に外付けされる基板ユニット９０内の拡張基板８０を介して、複数の拡張ユニットを主基板２１に接続することができる。よって、複数の拡張ユニットの各々と接続するための複数の制御端子２３ａを主基板２１に設ける必要がないため、主基板２１の大型化を防ぐことができ、経済性の向上を図ることができる。また、本実施の形態３に変形例２−１の構成を適用した場合でも、主基板２１に設ける制御端子の数を最低限に抑えることができるため、主基板２１の大型化を防ぐことができ、経済性を高めることができる。もっとも、基板ユニット９０は、化粧パネル部３０に着脱可能に設けるようにしてもよい。
【０１０７】
上述した各実施の形態は、空気調和機の室内機及び室内システムにおける好適な具体例であり、本発明の技術的範囲は、これらの態様に限定されるものではない。例えば、図１〜図３では、天井埋込カセット形４方向の室内機を例示したが、これに限らず、上記各実施の形態の室内機は、天井埋込カセット形２方向の室内機、又は天井埋込カセット形１方向の室内機であってもよい。加えて、上記各実施の形態の室内機は、天井埋込形に限らず、壁掛形又は床置形の室内機であってもよい。
【０１０８】
また、上記各実施の形態では、室内機に付加する拡張ユニットとして、吹き分けユニット、昇降ユニット、直付方式の加湿器、及びムーブアイセンサ７１を例示したが、これらに限定されない。例えば、フィルタ自動清掃ユニット、吹出口シャッタープレート、パワー脱臭フィルタ、及びワイヤレス受光部キットなどの種々の機器を、上記各実施の形態の室内機に付加する拡張ユニットとして適用することができる。
【符号の説明】
【０１０９】
１  吸込口、２  吹出口、１０、１０Ａ  室内機、１１〜１５、１８  配線、２０、２０Ａ  本体部、２１  主基板、２２  電源回路、２３  端子部、２３ａ、２３ｃ  制御端子、２３ｂ  駆動端子、２４  制御部、２４ａ  接続判定部、２４ｂ  動作指令部、２４ｃ  通信部、２４ｄ  演算部、２４ｅ  記憶部、２５  筐体、２６  送風機、２７  熱交換器、２８  ベルマウス、３０  化粧パネル部、３１  吸込グリル、３１ａ  フィルタ、３６  上下風向調整ベーン、３７  上下駆動モータ、４０、５０、６０  拡張ユニット、４１、５１、６１  標準基板、４４  駆動処理部、４５、５５、６５、８５  入力端子、４６  左右風向調整部材、４７  左右駆動モータ、５４  駆動処理部、５５、６５、８５  入力端子、５６  昇降機構、６４  駆動処理部、６６  加湿機構、７１  ムーブアイセンサ、７２  温度センサ、７３  湿度センサ、８０  拡張基板、８３、８３ｃ  拡張端子、９０  基板ユニット、９１  基板ケース、１００、２００、３００  室内システム、１７０  コントロール装置。
【図１】
2019163104.tif 000003
【図２】
2019163104.tif 000004
【図３】
2019163104.tif 000005
【図４】
2019163104.tif 000006
【図５】
2019163104.tif 000007
【図６】
2019163104.tif 000008
【図７】
2019163104.tif 000009
【図８】
2019163104.tif 000010
【図９】
2019163104.tif 000011
【図１０】
2019163104.tif 000012
【図１１】
2019163104.tif 000013
【図１２】
2019163104.tif 000014
【図１３】
2019163104.tif 000015
【図１４】
2019163104.tif 000016
【図１５】
2019163104.tif 000017
【図１６】
2019163104.tif 000018
【図１７】
2019163104.tif 000019
【手続補正書】
【提出日】令和2年6月10日(2020.6.10)
【手続補正１】
【補正対象書類名】明細書
【補正対象項目名】０００６
【補正方法】変更
【補正の内容】
【０００６】
本発明に係る空気調和機の室内機は、複数の拡張ユニットに対応する制御端子をもつ主基板を備えた本体部を有し、主基板は、制御端子と同一規格の接続端子である少なくとも１つの拡張端子をもつ拡張基板に直接的に接続されると共に、拡張基板を介して少なくとも１台の拡張ユニットに間接的に接続され、主基板には、主基板に直接的に接続されている拡張基板、及び主基板に間接的に接続されている全ての拡張ユニットに電力を供給する電源回路が設けられているものである。
【手続補正２】
【補正対象書類名】特許請求の範囲
【補正対象項目名】全文
【補正方法】変更
【補正の内容】
【特許請求の範囲】
【請求項１】
複数の拡張ユニットに対応する制御端子をもつ主基板を備えた本体部を有し、
前記主基板は、
前記制御端子と同一規格の接続端子である少なくとも１つの拡張端子をもつ拡張基板に直接的に接続されると共に、前記拡張基板を介して少なくとも１台の前記拡張ユニットに間接的に接続され、
前記主基板には、
前記主基板に直接的に接続されている前記拡張基板、及び前記主基板に間接的に接続されている全ての前記拡張ユニットに電力を供給する電源回路が設けられている、空気調和機の室内機。
【請求項２】
前記主基板は、
前記拡張基板が１台の前記拡張ユニットに設けられている場合、
前記拡張基板から延びる配線が前記制御端子に接続されると共に、前記拡張基板を有しない前記拡張ユニットから延びる配線が前記拡張端子に接続されることにより、前記拡張基板を介して前記拡張ユニットに接続される、
請求項１に記載の空気調和機の室内機。
【請求項３】
前記主基板は、
前記拡張基板が複数台の前記拡張ユニットに設けられている場合、
一台の前記拡張基板から延びる配線が前記制御端子に接続されると共に、複数の前記拡張基板が直列的に接続されることにより、前記拡張基板を介して前記拡張ユニットに接続される、
請求項１に記載の空気調和機の室内機。
【請求項４】
前記主基板には、
前記本体部と複数の前記拡張ユニットのそれぞれとの接続の有無を検出する制御部が設けられており、
前記制御部は、
前記拡張基板から延びる配線が前記制御端子に接続され、かつ前記拡張基板を有しない前記拡張ユニットから延びる配線が前記拡張端子に接続されている場合、前記拡張基板を有する前記拡張ユニットへの動作指令と、前記拡張基板を有しない前記拡張ユニットへの動作指令とを、前記制御端子に接続された前記拡張基板を有する前記拡張ユニットへ送信するものである、
請求項２又は３に記載の空気調和機の室内機。
【請求項５】
前記制御部は、
前記拡張基板を有する前記拡張ユニットだけが前記主基板に接続されている場合、当該拡張ユニットだけに動作指令を送信し、
前記拡張基板を有しない前記拡張ユニットから延びる配線が前記制御端子に接続されている場合、当該拡張ユニットに直接的に動作指令を送信するものである、
請求項４に記載の空気調和機の室内機。
【請求項６】
前記拡張基板を有しない前記拡張ユニットには、当該拡張ユニットの標準的な機能を実現するための標準基板が設けられている、請求項２、４又は５に記載の空気調和機の室内機。
【請求項７】
前記主基板は、
前記拡張基板から延びる配線が前記制御端子に接続されると共に、前記拡張ユニットから延びる配線が前記拡張端子に接続されることにより、前記拡張基板を介して前記拡張ユニットに接続される、
請求項１に記載の空気調和機の室内機。
【請求項８】
前記拡張基板は、前記本体部に着脱可能に設けられている、
請求項７に記載の空気調和機の室内機。
【請求項９】
前記主基板には、
前記本体部と２つ以上の前記拡張ユニットのそれぞれとの接続の有無を検出する制御部が設けられており、
前記制御部は、
前記拡張基板を介して接続されている前記拡張ユニットを検出した場合、検出した前記拡張ユニットに対し、前記拡張基板を介して動作指令を送信する、
請求項７又は８に記載の空気調和機の室内機。
【請求項１０】
請求項１又は７に記載の空気調和機の室内機と、
基板ケースを備えた基板ユニットと、を有し、
前記拡張基板は、前記基板ケースに収納されている、
室内システム。
【国際調査報告】
2019163104.tif 000020
2019163104.tif 000021
2019163104.tif 000022
2019163104.tif 000023